(57)【要約】      （修正有）【課題】高齢化が進む現代社会において一般家庭では、特に高齢者の一人暮らしの家庭が増加し、高齢者や腰痛に悩む人が多いが、掃除機を使って掃除をする際に助けになる器具として高齢者と腰痛の人の身体を支える掃除機棒を提供する。【解決手段】掃除機のホース先端パイプ１２の下に、上部が湾曲された掃除機のホース先端パイプセット部に面ファスナーの凹凸で貼り合せて、掃除をする際に杖をつく要領で身体を支え、個人の身長に合わせられるように伸縮性を持つ。さらに、角度コントロール具は回動自在に固定させた高齢者と腰痛の人の身体を支える掃除機棒に体重をあずけながら掃除機を使える様にする。【選択図】図９
0003181545.tif 000002
【実用新案登録請求の範囲】
【請求項１】
太さの違う二本の管（１）（２）において、下部内側管（２）の下部には滑り止めの先端カバー（３）を設け、更に縦長溝を設け，溝の適所に複数個の窪み（１３）を設け，上部外側管（１）の内側には縦長出っ張り（１４）を設けて，これを下部内側管と上部外側管を固定する六角ねじ（５）で固定し，上部外側管（１）の上部には、角度コントロール受け皿（９）とその上部に台柱を横にした角度コントロール具（７）を、固定金属棒（６）で前後に回動自在に固定し、角度コントロール具（７）の上に上部を湾曲させた掃除機のホース先端パイプセット部（８）を設け，掃除機のホース先端パイプ（１２）をその両端の一方に面ファスナー凹部（１０）を、他方に面ファスナー凸部（１１）で貼り合せて固定して使用できる構造の高齢者と腰痛の人の身体を支える掃除機棒。
【考案の詳細な説明】
【技術分野】
【０００１】
掃除機を使って掃除をする際，腰痛の人や高齢者は大変苦痛な労働をしているが，体力や腕力がなくても，又腰痛があっても掃除機を自由に使える高齢者と腰痛の人が掃除に使用する掃除機棒に関する。
【背景技術】
【０００２】
従来掃除機を使って掃除をする際、掃除機のホース先端パイプを手で持って操作してきた。しかし高齢者や腰痛に苦しむ人は、立っているだけで大変苦痛であり、掃除を楽に行うことができる掃除機を必要としている。
「特開2005-349173」「特開2010-264207」の出願もあるがこれらは掃除機の延長管が倒れないような装置であり、楽に掃除が出来るようにという本考案とは使用目的が違うことと構造の違いがあるため本考案と同じものは先行文献として他に見当たらない。
【先行技術文献】
【特許文献】
【０００３】
【特許文献１】特開２００５-３４９１７３
【特許文献２】特開２０１０-２６４２０７
【考案の概要】
【考案が解決しようとする課題】
【０００４】
高齢化が進む現代社会において一般家庭では，特に高齢者だけの家庭，または高齢者の一人暮らしの家庭が数を増している。自分で掃除をする際、特に腰痛に苦しむ高齢者にとっては，室内で腰をかがめて掃除機を使うことは，肉体的・精神的に大きな負担や苦痛を感じている。これらの問題を解決するために人的な援助も欠かす事が出来ない問題であるが，高齢者用に工夫した機器類の普及も欠かすことの出来ない大きな課題であり，これらの問題を解決するためになされたものである。
【課題を解決するための手段】
【０００５】
課題を解決するために本考案は以下の構成とした。
掃除をする際、掃除機のホース先端パイプ（１２）を掃除機のホース先端パイプセット部（８）が湾曲になっているので，そこに乗せて，面フアスナーの凹部（１０）と凸部（１１）を貼り合せて連結して使用する。
掃除をするためには掃除機本体のホース先端パイプ（１２）を前後に動かして使用するが，棒の最下部を支点に動かせば前後運動はできるが、掃除機棒の上部に台柱を横にした形状の角度コントロール具（７）を固定金属棒（６）で前後に回動自在に固定し，前後運動を軽減させ，掃除機棒の角度を変えて床を掃除するだけでなく，角度コントロール具（７）を取りつけたことにより掃除機棒の角度をあまり変えずに，掃除機のホース先端パイプ（１２）の角度を変える事が出来る。
また個人の身長に合わせた高さに出来るように、掃除機棒の長さを調節できる構造にするために掃除機棒の下部内側管（２）が長手方向にスライドしても左右に回転しないように，ねじ通路溝（４）と溝に複数個の窪み（１３）を設け，掃除機棒上部外側管（１）の内側には縦長出っ張り（１４）を設けた。これを下部内側管と上部外側管を固定する六角ねじ（５）で固定して使用する。掃除機を前後に移動させるときに，自分の体重を掃除機のホース先端パイプ（１２）にかけても何ら支障がないので，高齢者や特に腰痛の方々の清掃の手助けになる構造とした。
【考案の効果】
【０００６】
本考案は，以下の効果を有する。
（１）掃除機のホース先端パイプに体重をかけても，掃除機棒に支えられるので楽に作業が出来る。
（２）自分の身体の不安定な部分も掃除機棒は，杖をついて行動するのと同じ原理であるが，もっと体重を掃除機棒に力を分散させる事が出来るので肉体的に楽である。
（３）精神的にも困難さが少ないために安全で楽に行動できる。
（４）前後運動が楽に行われるため、腰への負担が軽減される。
（５）椅子に座ったままでも掃除機を使って掃除をすることが出来る。
【図面の簡単な説明】
【０００７】
【図１】正面図
【図２】短く高さを調整した正面図
【図３】左側面図
【図４】背面図
【図５】角度コントロール具分解説明図
【図６】平面図
【図７】底面図
【図８】平面から見た内側管の溝と外側管の出張りとねじの組み合わせ断面図
【図９】掃除機棒に掃除機のホース先端パイプをセットした説明図
【考案を実施するための形態】
【０００８】
以下本発明の実施形態について説明する。
本考案は、掃除機本体のホース先端パイプ（１２）を掃除機のホース先端パイプセット部（８）が湾曲になっているので，そこに乗せて，面フアスナーの凹部（１０）と凸部（１１）を貼り合せて連結して使用する。掃除をするためには掃除機本体のホース先端パイプ（１２）を前後に動かして使用するため，棒の最下部を支点に動かせば前後運動はできるが、掃除機棒の上部に台柱を横にした形状の角度コントロール具（７）を固定金属棒（６）で前後に回動自在に固定し，前後運動を軽減させ，掃除機棒の角度を変えて床を掃除するだけでなく，角度コントロール器具（７）を取りつけたことにより掃除機棒の角度をあまり変えずに，掃除機のホース先端パイプ（１２）の角度を変える事が出来る。
個人の身長にあわせて使用できるように、掃除機棒の長さを調節できる構造にするために掃除機棒の下部内側管（２）が長手方向にスライドしても左右に回転しないように，ねじ通路溝（４）と溝に複数個の窪み（１３）を設け，掃除機棒外側管（１）の内側には縦長出張り（１４）を設けた。これを下部内側管と上部外側管を固定する六角ねじ（５）で固定して使用する。掃除機を前後に移動させるときに，自分の体重を掃除機のホース先端パイプにかけても何ら支障がないので，高齢者や特に腰痛の方々の清掃の手助けになる構造とした。
高齢者・腰痛の人・体調が良くない人が一人で生活する際に，人的援助も必要であるがあわせて日常使用する機器類にも工夫して，肉体的・精神的に負担にならないようにすべきと考え以下のようにした。腕力がなくなっても，部屋の掃除は欠かせないために掃除機を持って掃除をする時に手で握っている掃除機のホース先端パイプ（１２）を，先端パイプセット部（８）に面フアスナーの凹部（１０）と凸部（１１）で張り合わせてあるため，自分の体重を掃除機棒にあずけながら掃除できる。杖をつきながら歩くのと同じで，体重を掃除機棒に分散されて安心して楽に行動できる。また掃除機棒が掃除機のホース先端パイプを支えるため、身体で先端パイプを支える必要がなくなり、椅子に座って先端部を前後させるだけで掃除をすることが出来る。角度コントロール具を付けることにより、掃除機棒の立つ位置より遠くまで掃除をすることが出来るので、掃除機棒の立つ位置、座る椅子の位置を移動するだけで、広く掃除をすることが出来る。この掃除機棒を整体師に使ってもらったところ、腰痛の人には腰への負担が軽減されるとの意見を頂いた。
掃除機のホース先端パイプ（１２）を前後に動かしながら清掃するときに供え，角度コントロール具（７）を取り付け無理なく掃除ができるので高齢者や特に腰痛の方々に応援できる構造とした。
【符号の説明】
【０００９】
（１） 上部外側管
（２） 下部内側管
（３） 先端カバー
（４） 下部内側管の縦長溝
（５） 下部内側管と上部外側管を固定する六角ねじ
（６） 固定金属棒
（７） 角度コントロール具
（８） 掃除機のホース先端パイプセット部
（９） 角度コントロール受け皿
（１０） 面ファスナー凹部
（１１） 面ファスナー凸部
（１２） 掃除機のホース先端パイプ
（１３） ねじ高さ調整の窪み
（１４） 上部外側管の内部縦長出っ張り
【図１】
0003181545.tif 000003
【図２】
0003181545.tif 000004
【図３】
0003181545.tif 000005
【図４】
0003181545.tif 000006
【図５】
0003181545.tif 000007
【図６】
0003181545.tif 000008
【図７】
0003181545.tif 000009
【図８】
0003181545.tif 000010
【図９】
0003181545.tif 000011